(57)【要約】【課題】壁面等の背面側で固定し、しかも一度固定した後は取り外すことのできない係止具を提供せんとするものである。【解決手段】取付対象部材３の開口部４に貫通される一対の差込片６及び７の先端側に外向きの爪部材６Ａ，７Ａ及び内向きの爪部材６Ｂ，７Ｂを設けてなる差込具２と、取付対象部材３の背面側に面接合し、前記内向きの爪部材６Ｂ，７Ｂが摺動する略半周状の異径湾曲端面１０Ａ，１０Ｂを備えると共に、該異径湾曲端面１０Ａ，１０Ｂの終端側で内向きの爪部材６Ｂ，７Ｂと係合する凹部１１Ａ，１１Ｂを備えた固定具５とで係止具１を構成する。そして、前記外向きの爪部材６Ａ，７Ａは、取付対象部材３の背面側で当該取付対象部材３に係合する。また前記内向きの爪部材６Ｂ，７Ｂは、固定具５の凹部１１Ａ，１１Ｂで且つ固定具５の背面側に係合し、いわゆる嵌め殺しを構成する。【選択図】  図１
2005133739.tif 000002
【特許請求の範囲】
【請求項１】
取付対象部材の開口部に貫通される一対の差込片の先端側に外向きの爪部材及び内向きの爪部材を設けてなる差込具と、取付対象部材の背面側に面接合し、前記内向きの爪部材が摺動する略半周状の異径湾曲端面を備えると共に、該異径湾曲端面の終端側で内向きの爪部材と係合する凹部を備えた固定具とから成り、前記外向きの爪部材は取付対象部材の背面側でこれに係合し、前記内向きの爪部材は固定具の凹部で且つ固定具の背面側に係合するものであることを特徴とする係止具。
【請求項２】
固定具に径方向の切欠溝が形成されている請求項１に記載の係止具。
【請求項３】
前記差込具は、取付対象部材の開口部の中央に位置する部分に開口部を貫通する枢支軸を有し、固定具は前記枢支軸を挿通するための挿通孔を有しており、固定具は前記枢支軸を中心に内向きの爪部材が異径湾曲端面上を摺動する範囲内では回動自在であり、内向きの爪部材が係合用凹部へ係合するとこれに固定されるものである前記請求項１又は２に記載の係止具。
【発明の詳細な説明】
【技術分野】
【０００１】
本発明は、洗面化粧台のキャビネットに鏡を固定するために用いられる係止具（フック）や、浴室の壁面にシャワーヘッドを着脱自在に取り付けるために用いられる係止具（フック）や、その他の家具等にドライヤー等の電化製品やアクセサリー部品、小物品等を着脱自在に係止するために用いられる係止具に関するものである。
【背景技術】
【０００２】
この種の係止具として、特許文献１に記載されたアタッチメントが公知である。この先行技術にあっては、壁面構成部材にＣ型断面の溝を横方向に連続して形成しており、Ｃ型断面の溝内にＴスロットが凹設された円柱状棒材を嵌合装着している。そして、壁面構成部材の正面側からアタッチメントを、円柱棒状材のＴスロットに取り付けるようにしている。アタッチメントは、アウター部材と、これに入れ子式に入り込めるインナー部材とから成る。アウター部材の一対の脚片をＴスロットに挿入し、インナー部材のペグ片をアウター部材の一対の脚片どうしの間に押し込むことにより、アウター部材の脚片がＴスロットの肩部に係合し、抜止となって固定される。この状態でアウター部材とインナー部材とは、上下に貫通する挿通孔を有し、これにフックやラックが着脱自在に取り付けられるというものである。
【特許文献１】特開平８ー２３２９２６号公報
【発明の開示】
【発明が解決しようとする課題】
【０００３】
このように特許文献１に記載された従来のアタッチメントの技術は、インナー部材を引き抜き、アウター部材を引き抜くことにより、アタッチメントを正面側から取り外すことが可能である。そのため、アタッチメントが不特定多数の者が使用する公共施設に取り付けられた場合には、徒によってアタッチメントが分解され、取り去られることが起こり得るという問題があった。
また、一旦、アタッチメントを設置した後は、これを取り外す必要のないものを取り付け対象物とする場合には、前面側から着脱自在にアタッチメントを取り付けるという構成は、全く無用の構成であった。
【０００４】
本発明は従来の前記課題に鑑みてこれを改良除去したものであって、壁面等の背面側で固定し、しかも一度固定した後は取り外すことのできない係止具を提供せんとするものである。
【課題を解決するための手段】
【０００５】
而して、前記課題を解決するために本発明が採用した請求項１の手段は、取付対象部材の開口部に貫通される一対の差込片の先端側に外向きの爪部材及び内向きの爪部材を設けてなる差込具と、取付対象部材の背面側に面接合し、前記内向きの爪部材が摺動する略半周状の異径湾曲端面を備えると共に、該異径湾曲端面の終端側で内向きの爪部材と係合する凹部を備えた固定具とから成り、前記外向きの爪部材は取付対象部材の背面側でこれに係合し、前記内向きの爪部材は固定具の凹部で且つ固定具の背面側に係合するものであることを特徴とする係止具である。
【０００６】
本発明が採用した請求項２の手段は、固定具に径方向の切欠溝が形成されている請求項１に記載の係止具である。
【０００７】
本発明が採用した請求項３の手段は、前記差込具は、相手方部材の開口部の中央に位置する部分に開口部を貫通する枢支軸を有し、固定具は前記枢支軸を挿通するための挿通孔を有しており、固定具は前記枢支軸を中心に内向きの爪部材が異径湾曲端面上を摺動する範囲内では回動自在であり、内向きの爪部材が係合用凹部へ係合するとこれに固定されるものである前記請求項１又は２に記載の係止具である。
【発明の効果】
【０００８】
請求項１の発明にあっては、取付対象部材の正面側からその開口へ差込具の差込片を差し込むと、差込片の先端側に設けた外向きの爪部材が一旦開口よりも狭くなってこれを通過し、通過後に元の状態へ復帰して広がり、前記開口の背面側へ係止する。この状態で正面側から差込具を引っ張っても、前記外向きの爪部材の係合により、抜けでることはない。そして、この発明では、取付部材の背面側で差込片に固定具を係合させ、差込具を正面側から開け閉めできないように、いわゆる嵌め殺しにしている。嵌め殺しは、固定片を一対の差込片どうしの間でこれを回転させ、異径湾曲端面を差込片に当接させて摺動案内させながら、異径湾曲端面の終端側に設けた係合用凹部へ前記差込片を嵌合させて行う。これにより、固定具は回転ができなくなり、差込片の先端に設けた内向きの爪部材は固定具の背面側に係止したままとなる。これにより、差込片はロックされた状態となり、抜き差しができなくなる。
【０００９】
請求項２の発明にあっては、固定具を回転させるときに、異径湾曲端面が差込片に当接して摺動すると、径が大きくなる方向へ変化するに連れて切欠溝の間隔が狭まり、差込片と係合用凹部との係合を容易にする。そして、差込片が係合した後は、切欠溝の間隔は自己弾性力により復帰し、差込片と係合用凹部との係合関係をリジッドにし、嵌め殺しの係合関係を保持する。
【００１０】
請求項３の発明にあっては、固定具を移動させて、差込具の枢支軸を固定具の挿通孔へ案内して通過させ、この状態で枢支軸を中心に固定具を回転させることにより、安定した回転動作が行え、固定具の差込具への嵌め殺しを円滑に行えるという利点がある。
【発明を実施するための最良の形態】
【００１１】
以下に、本発明の構成を図面に示す発明の実施の形態に基づいて説明すると次の通りである。図１乃至図４は本発明の一実施の形態に係るものであり、図１は係止具１の全体を示す分解斜視図である。図２は、差込具２を取付対象部材３の開口４へ嵌め込んだ状態を示す斜視図である。図３は、取付対象部材３の背面側で固定具５を差込具２の差込片６，７間に配置した状態を背面側から見た斜視図である。図４は、固定具５を図３の状態からおよそ９０度回転させて嵌め殺しとした装着後の状態を背面側から見た斜視図である。
【００１２】
同図に示す如く、この実施の形態の係止具１は、取付対象部材３の正面側からその開口４へ差し込んで装着される差込具２と、取付対象部材３の背面側において差込具２に係合装着され、差込具２を嵌め殺しにする固定具５とから成る。
【００１３】
差込具２は、その本体２Ａの部分にシャワーフックや鏡固定用のフック等の任意のものが取り付けられて使用されるものであって、図面にはこのことは省略している。差込具２は取付対象部材３の開口４の幅一杯に広がって形成された一対の差込片６，７を有しており、各差込片６，７はその先端側に外向きの爪部材６Ａ，７Ａと、内向きの爪部材６Ｂ，７Ｂとを有している。そして、差込片６及び７の中間の位置（開口部４の中心の位置）に、枢支軸８が突出形成されている。
【００１４】
これに対して固定具５は、略楕円形状の平板に形成された本体５Ａを有し、中央には差込具２の枢支軸８が挿通される挿通孔９が形成されており、周囲の端面形状は異径湾曲端面１０Ａ，１０Ｂとなっている。また楕円の長軸に相当する部分の端面には、一対の係合用凹部１１Ａ，１１Ｂが形成されており、一方の異径湾曲端面１０Ａの途中には径方向の切欠溝１２が前記挿通孔９へ連続するように形成されている。更に、本体５Ａの背面側で挿通孔９の両サイドには、枢支軸８との相対的な回転動作を案内するための二本のガイド棒１３Ａ，１３Ｂが突出して形成されており、両ガイド棒１３Ａ，１３Ｂの対向する面は枢支軸８との回転動作に支障がないように曲面状に形成されている。
【００１５】
次に、このように構成された係止具１の使用態様を説明する。取付対象部材３の正面側からその開口４へ差込具２の差込片６，７を差し込むと、差込片６，７の先端側に設けた外向きの爪部材６Ａ，７Ａが一旦開口４の幅寸法よりも狭くなってこれを通過し、通過後に元の状態へ復帰して広がり、前記開口４の背面側へ係止する。図２はこの状態を示すものである。この状態では、正面側から差込具２を引っ張っても、前記外向きの爪部材６Ａ，７Ａの係合により、差込具２が開口４から抜け出るということはないが、差込具２を大きな力で強制的に無理やり引っ張ると、差込片６及び７がそれぞれ内側へ撓み、抜け落ちるようになる。これでは、シャワーヘッドの係止具等として利用する場合に、シャワーヘッド自体の脱落の虞があり、問題となる。
【００１６】
そこで、この実施の形態の係止具１では、固定具５が取付対象部材３の背面側で一対の差込片６及び７どうしの間に係合してこれを固定し、開け閉めできないように、いわゆる嵌め殺しの係合関係とするようにしている。すなわち、取付対象部材３の背面側において、開口部４を貫通して突出する差込具２の枢支軸８へ、固定具５の挿通孔９を通過させて押込んでいる。このとき、固定具５の異径湾曲端面１０Ａ及び１０Ｂが一対の差込片６及び７どうしに干渉しないように、固定具５の小径の部分（楕円形状の短軸の部分）を差込片６及び７どうしの間に介在させている。図３はこの状態を示すものである。
【００１７】
そして、この位置で固定具５を回転させて異径湾曲端面１０Ａ，１０Ｂを差込片６及び７の各内面側に当接させながら摺動案内させ、異径湾曲端面１０Ａ，１０Ｂの終端側に設けた係合用凹部１１Ａ，１１Ｂへ前記差込片６及び７を嵌合させる。これにより、図４に示すように、固定具５は回転ができなくなり、差込片６及び７の先端に設けた内向きの爪部材６Ｂ及び７Ｂは固定具５の背面側に係止したままとなる。そのため、差込片６及び７はロックされた状態となり、抜き差しができなくなる。従って、差込片６及び７に、鏡固定用のフックを設けた場合は、鏡を固定することが可能であり、またシャワーフック等を設けた場合は、シャワーヘッドを脱着自在に係止することが可能である。
なお、前記固定具５の回転時にあって、固定具５に設けたガイド棒１３Ａ，１３Ｂが差込具２の枢支軸８の外周面に当接してこれを案内するので、円滑な回転動作を確保することが可能である。
【００１８】
ところで、本発明は上述した実施の形態に限定されるものではなく、適宜の変更が可能である。例えば、取付対象部材３は、浴室壁面であってもよく、洗面化粧台等のキャビネットであってもよく、その他の一般的な家具類であってもよい。また差込具２は、シャワーヘッドを係止するためのフックや鏡を固定するためのフック、ラックを取り付けるためのフック、またはピン孔を設けた係止部材などとして汎用的に利用されるものである。
【図面の簡単な説明】
【００１９】
【図１】本発明の一実施の形態に係る係止具の全体を示す分解斜視図である。
【図２】本発明の一実施の形態に係る係止具の差込具を取付対象部材の開口へ嵌め込んだ状態を示す斜視図である。
【図３】本発明の一実施の形態に係る係止具の取付対象部材の背面側で固定具を差込具の差込片間に配置した状態を背面側から見た斜視図である。
【図４】本発明の一実施の形態に係る係止具の固定具を図３の状態からおよそ９０度回転させて嵌め殺しとした装着後の状態を背面側から見た斜視図である。
【符号の説明】
【００２０】
１…係止具、２…差込具、２Ａ…差込具本体、３…取付対象部材、４…開口、５…固定  具、５Ａ…固定具本体、６，７…差込片、６Ａ，７Ａ…外向きの爪部材、６Ｂ，７Ｂ…  内向きの爪部材、８…枢支軸、９…挿通孔、１０Ａ，１０Ｂ…異径湾曲端面、１２…切  欠溝、１３Ａ，１３Ｂ…ガイド棒
【図１】
2005133739.tif 000003
【図２】
2005133739.tif 000004
【図３】
2005133739.tif 000005
【図４】
2005133739.tif 000006